(57)【要約】【課題】端子同士の接触圧の確保と、表示機能への応力負荷を作用させないことで、シールド機能の向上と表示機能の劣化防止を図る。【解決手段】表示手段（表示ユニット１２）を支持する支持手段（板金部品２２）と、基板（１４）とを備える。支持手段は、表示手段を載置させて支持する載置面（２８）と、載置面の背面側に突出して形成され、載置面を通じて表示手段に導通させる端子（２４）とを含む。基板は、支持手段の背面側に配置され、端子に導通させて支持手段を接地させる接地端子（２６）を備える。そして、端子は、支持手段と基板とが対向状態で変位することで、接地端子と接触するとともに、基板側に向けて加圧される。【選択図】    図３
2015011251.tif 000002
【特許請求の範囲】
【請求項１】
表示手段と、
前記表示手段を載置させて支持する載置面と、該載置面の背面側に突出して形成され、前記載置面を通じて前記表示手段に導通させる端子とを含む支持手段と、
前記支持手段の背面側に配置され、前記端子に導通させて前記支持手段を接地させる接地端子を備える基板と、
を備え、
前記端子は、前記支持手段と前記基板とが対向状態で変位することで、前記接地端子と接触するとともに、前記基板側に向けて加圧されることを特徴とする表示装置。
【請求項２】
さらに前記支持手段および前記基板を支持するとともに、前記支持手段または前記基板を所定の方向に変位させるガイド機構が形成された筐体を備え、
前記支持手段または前記基板は、前記ガイド機構に沿って変位することで、前記接地端子と前記端子とを接触させることを特徴とする、請求項１に記載の表示装置。
【請求項３】
前記端子は、前記支持手段の一部を前記載置面の背面側に所定の角度で切り起こして形成され、
前記基板は、切り起こされた前記端子の先端側に前記接地端子が配置され、前記接地端子または前記端子の変位によって、前記基板側に被さる方向に前記端子を加圧させることを特徴とする、請求項１または請求項２に記載の表示装置。
【請求項４】
前記筐体は、前記支持手段または前記基板を変位位置で保持させる保持構造を備えることを特徴とする、請求項２または請求項３に記載の表示装置。
【請求項５】
表示手段を載置させる載置面と、該載置面の背面側に突出して形成され、前記載置面を通じて前記表示手段と導通する端子とを含む支持手段と、
前記支持手段の背面側に配置され、前記端子に導通させて前記支持手段を接地させる接地端子を含む基板と、
を備え、
前記端子は、前記支持手段と前記基板とが対向状態で変位することで、前記接地端子と接触するとともに、前記基板側に向けて加圧されることを特徴とする表示支持装置。
【発明の詳細な説明】
【技術分野】
【０００１】
本開示の技術は、表示装置を支持する支持手段を介して接地させる表示装置および表示支持装置に関する。
【背景技術】
【０００２】
携帯電話機など表示機能を備える表示装置は、多機能化しているほか、機器の小型化、表示部品の大型化によるケース内の狭小化により、ケース内部に多数の機能部品が近接して収納されている。このような多機能化した表示装置では、たとえば表示部品の近傍に通信用のアンテナやその他の電子部品が配置される場合がある。アンテナや他の電子部品は、たとえば表示手段が表示動作によって発する電磁波の干渉を受け、通信機能の低下などが生じる可能性がある。そのため表示装置では、ＥＭＩ（Electro Magnetic Interface）への対策として、表示手段の周囲を板金部品で覆うことでシールド機能を形成するものが知られている。
【０００３】
この板金部品は、たとえばケース内部に収納された基板の端子部品に接触させることで導通し、接地される。しかし板金部品と基板との間の設置位置に誤差が生じると、端子部品が接触できず、板金部品は基板に対して接地できないおそれがある。そこで端子部品は、たとえば弾性変形するバネ部品で形成するものやクッション部品を介在させ、基板と板金部品とを圧接させるものが知られている。
【０００４】
このような端子部品の接触構造に関し、フレキシブル基板の折返し部分にクッション部材を設置させ、その折返し部分を他のフレキシブル基板に接触させ、外部から挟み込むことでフレキシブル基板同士を弾性接触させるものが知られている（たとえば、特許文献１）。
【先行技術文献】
【特許文献】
【０００５】
【特許文献１】特開２００９−１３３９３２号公報
【発明の概要】
【発明が解決しようとする課題】
【０００６】
ところで板金部品は、たとえば基板との距離に応じて、基板側の端子や板金部品側に形成される端子などの高さを高くとり、端子を圧接させることで設置間隔の誤差を吸収し、接地構造をとることができるが、その圧接によって端子周辺に応力が生じる場合がある。板金部品に生じた応力は、載置面に載置されている表示手段にも作用する可能性がある。表示手段は、背面側から加圧されると、たとえば加圧部分の周辺に表示ムラや表示画面の滲みが発生し、画像の歪みなどで視認性が損なわれるほか、表示機能の劣化や喪失などを招くおそれがある。
【０００７】
表示装置は、視認性や操作性を高めるために表示画面が大型化しているが、これに伴って板金部品も大型化されている。このような板金部品では、シールド機能の向上や接地状態を確保するために端子の大型化や、端子の増加を採用する場合がある。端子を大型化した場合、板金部品の一部に大きな応力が集中して作用し、表示画面の滲みの大きさを増大させてしまう可能性がある。また、端子の数を増やした場合、表示手段は、滲みが生じる部分が増加する可能性がある。従って、表示装置では、表示画面の大型化に対し、接地機能の確保と表示機能の劣化防止の両立が困難になるという課題がある。
【０００８】
また、金属端子の接触では、端子同士の接触圧力が大きいほど電気的な接触抵抗が低くなる。そのため接地能力を確保や板金部品のシールド機能を高めるために、端子同士には一定の接触圧をもって接触させることが望ましい。しかし、板金部品は、たとえば端子同士の接触圧を高くするために基板と板金部品との間隔に対して端子の高さを高くするなどの手段をとると、載置面側にも加圧されてしまうという課題がある。
【０００９】
そこで、斯かる課題に鑑み、本開示の表示装置および表示支持装置の目的は、端子同士の接触圧の確保と、表示機能への応力負荷を作用させないことで、シールド機能の向上と表示機能の劣化防止を図ることにある。
【課題を解決するための手段】
【００１０】
上記目的を達成するため、本開示の構成の一側面は、表示手段を支持する支持手段と、基板とを備える。支持手段は、表示手段を載置させて支持する載置面と、該載置面の背面側に突出して形成され、前記載置面を通じて前記表示手段に導通させる端子とを含む。基板は、前記支持手段の背面側に配置され、前記端子に導通させて前記支持手段を接地させる接地端子を備える。そして、前記端子は、前記支持手段と前記基板とが対向状態で変位することで、前記接地端子と接触するとともに、前記基板側に向けて加圧される。
【発明の効果】
【００１１】
本開示の表示装置または表示支持装置によれば、次のいずれかの効果が得られる。
【００１２】
(1)   一定の接触圧を持たせて端子同士を接触させて接地機能を確保するとともに、端子と接地端子との接触により生じる応力を板金部品側に作用させず、表示機能の劣化を防止できる。
【００１３】
(2)  端子と接地端子を、基板または支持手段の変位によって接触させることで、基板と支持手段の対向方向に対して過大な加圧による端子同士の形成間隔の調整が不要となる。
【００１４】
そして、本発明の他の目的、特徴および利点は、添付図面および各実施の形態を参照することにより、一層明確になるであろう。
【図面の簡単な説明】
【００１５】
【図１】第１の実施の形態に係る表示装置の外観構成例を示す図である。
【図２】表示装置の内部構成例を示す図である。
【図３】端子の接触状態の一例を示す図である。
【図４】第２の実施の形態に係る表示装置の端子接触構造の一例を示す図である。
【図５】フロントケースに対する板金部品の設置状態例を示す図である。
【図６】フロントケースに対する基板の接地状態例を示す図である。
【図７】図６のＶＩＩ−ＶＩＩ線断面を示す図である。
【図８】図６のＶＩＩＩ−ＶＩＩＩ線断面を示す図である。
【図９】端子の接触状態の一例を示す図である。
【図１０】表示装置の他の構成例を示す図である。
【図１１】第３の実施の形態に係る端子の接触状態の一例を示す図である。
【図１２】フロントケースと基板の構成例を示す図である。
【図１３】フロントケースの構成例を示す図である。
【図１４】基板の設置状態例を示す図である。
【図１５】図１４のＸＶ−ＸＶ線断面を示す図である。
【図１６】第４の実施の形態に係る表示装置の構成例を示す図である。
【図１７】フロントケースの構成例を示す図である。
【図１８】基板を設置させた状態例を示す図である。
【図１９】端子の接触状態例を示す図である。
【図２０】他の実施の形態に係る表示装置の外観構成例を示す図である。
【図２１】他の実施の形態に係る表示装置の構成例を示す図である。
【発明を実施するための形態】
【００１６】
〔第１の実施の形態〕
【００１７】
図１は、第１の実施の形態に係る表示装置の外観構成例を示しており、図２は、表示装置の内部構成例を示している。図１、図２に示す構成は一例であり、本発明が斯かる構成に限定されるものではない。
【００１８】
図１に示す表示装置２は、本開示の表示装置の一例であり、前面側に表示窓部６が形成されたフロントパネル４が設置されている。表示装置２は、携帯電話機や携帯情報処理装置が含まれており、表示窓部６側に配置された表示ユニット１２（図２）による画像表示機能を備えている。フロントパネル４は、たとえばガラスやアクリルなど、透過性の高い透明色の部材で形成されており、表示ユニット１２による表示画像の光を表示窓部６から透過することで、表示装置２のユーザに表示画像を目視させることができる。このフロントパネル４は、たとえば表示装置２の筐体の一部であるフロントケース８に設置されている。そのほか表示装置２には、フロント側に入力操作などを行うためのキー操作部１０を備えてもよい。またフロントパネル４は、たとえば表示画像を透過させるほか、ユーザの生体指の接触を検出するタッチパネル機能を備えてもよい。
【００１９】
表示装置２は、たとえば図２に示すように、フロントケース８に表示ユニット１２が収納されている。このフロントケース８には、表示ユニット１２の収納スペースに合わせて板金部品２２が設置されている。フロントケース８の背面側には、基板１４、リアケース１６が設置される。リアケース１６の背面側には、たとえば電池２０を挟んでリアパネル１８が設置される。
【００２０】
表示ユニット１２は、本開示の表示手段の一例であり、たとえばＬＣＤ（Liquid Crystal Display）ユニットや有機ＥＬ（OEL：Organic Electro-Luminescence）ディスプレイユニットなどが含まれる。これらの表示ユニット１２は、たとえば発光部分や表示面に対して強い力が加えられると、表示画面の歪みや滲みなどが生じ、表示機能の劣化が生じる場合がある。
【００２１】
板金部品２２は、本開示の支持手段の一例であり、一面側に表示ユニット１２を載置させる載置面が形成され、表示ユニット１２を設定位置に固定するとともに、背面側に配置される基板１４や図示しないアンテナなどに対する電磁波シールドとして機能する。板金部品２２は、たとえば導電性の金属部材、またはその他の材質であって、板状部品の周囲に導電性のメッキが施されて形成されている。そして板金部品２２は、載置面側において表示ユニット１２から発せられる電磁波や静電気などのノイズを基板１４に実装された電子部品や表示装置２内に搭載された機能部品に対して遮断する。
【００２２】
板金部品２２は、たとえば周囲側がフロントケース８に対して嵌合されるほか、樹脂製のフロントケース８とインサート成形により一体化して形成されてもよく、またはネジなどの固定部品、または接着剤などを介在させて固定されてもよい。また板金部品２２は、たとえば平板部分の一部に基板１４側に向けて、端子２４が形成されている。この端子２４は、本開示の端子の一例であり、基板１４と導通させて接地され、表示装置２内部に発生する電磁ノイズを基板１４側に除去する。この端子２４は、たとえば板金部品２２の平面部分の一部を背面側に向けて切り起こし、その先端側を所定角度で突出させて形成される。
【００２３】
基板１４は、本開示の基板の一例であり、表示装置２の機能部品を実装するとともに、板金部品２２と導通して接地させる手段の一例である。この基板１４は、板金部品２２が備えられたフロントケース８の背面側に配置され、その板金部品２２側に向けて接地端子２６が実装されている。この接地端子２６は、たとえば基板１４に形成された接地回路に実装され、表示装置２の組立てにより、板金部品２２の端子２４と接触されて導通する。この端子２４が形成された板金部品２２と接地端子２６が実装された基板１４は、表示手段１２を支持する本開示の表示支持装置３０として機能する。
【００２４】
＜端子同士の接触構造について＞
【００２５】
表示装置２は、たとえば図３に示すように板金部品２２と基板１４とが対向状態で変位することで端子２４と接触端子２６が接触する。端子同士の接触には、たとえば板金部品２２または基板１４のいずれかを変位させてもよく、または両方を変位させてもよい。この変位方向は、たとえば板金部品２２および基板１４に対して平行な方向にＸ方向が設定され、または板金部品２２と基板１４とを近接、または離間させる方向にＹ方向、−Ｙ方向が設定される。そして、端子２４および接地端子２６は、たとえば板金部品２２と基板１４との間に設定される変位方向に基づいて接触方向が設定される。
【００２６】
端子２４と接地端子２６は、たとえば弾性変形可能なバネ端子を構成しており、変位方向に応じて接触状態が設定される。具体的には端子２４が接地端子２６との接触により基板１４の方向に向けて加圧されるように設定される。図３に示す端子２４と接地端子２６との接触状態は、接地端子２６がＸ方向に変位して端子２４に接触させた場合を示している。端子２４は、たとえば接地端子２６との接触部分において加圧される。このとき端子２４は、たとえば変位方向または端子２４に対する直交方向の力成分Ｆ１により、基板１４側に加圧される。そして端子２４は、板金部品２２の切り起こし部分から載置面２８上の表示ユニット１２側に加圧するのを阻止できる。
【００２７】
また表示支持装置３０は、たとえば基板１４と板金部品２２との変位方向に応じて、端子２４に対する加圧の方向（Ｆ１〜Ｆｎ）が基板１４側に向けて作用するように端子２４と接地端子２６との接触構造が設定される。
【００２８】
斯かる構成によれば、一定の接触圧を持たせて端子２４と接地端子２６とを接触させて接地機能が確保されるとともに、端子同士の接触により生じる応力を板金部品２２側に作用させないので、表示機能の劣化を防止できる。端子２４と接地端子２６を、基板１４または板金部品２２の変位によって接触させることで、基板１４および板金部品２２の設置誤差に応じた端子同士の形成間隔の調整が不要となる。
【００２９】
〔第２の実施の形態〕
【００３０】
図４は、第２の実施の形態に係る表示装置の端子接触構造の一例を示している。図４に示す構成は一例である。
【００３１】
表示装置２は、図４に示すように板金部品２２に対して基板１４を対向状態で平行に変位させて端子２４と接地端子２６とを接触させるように形成されている。端子２４は、たとえば板金部品２２の背面側において、基板１４の実装面側に対して所定の角度で切り起こして形成され、基板１４の変位方向に対して対向方向に先端部分を突出させて形成される。また接地端子２６は、たとえば板金部品２２の変位方向に向けて基板１４から突出させた形状に形成されている。
【００３２】
基板１４は、たとえば図４のＡに示すように、接地端子２６が形成された実装面側を、端子２４が突出した板金部品２２の背面側に対向させて配置される。基板１４と板金部品２２は、たとえば側面部分が平行になるように位置を合わせて配置させてもよく、または端子２４の位置に対して接地端子２６の変位軌道を設定してもよい。表示装置２は、図４のＢに示すように基板１４を板金部品２２に向けて変位させることで組立て処理が行われる。そして、基板１４は、図４のＣに示すように所定の位置まで変位することで、接地端子２６が端子２４に係合する。このとき接地端子２６は、たとえば先端側の一部を端子２４の上部側の平面に当接し、基板１４側に被さる方向に端子１４を加圧させるように接触する。
【００３３】
＜フロントケース８の内部構成例について＞
【００３４】
図５に示すフロントケース８は、たとえば表示装置２の外装を形成する側壁部３２の内側に沿って支持板３６が形成されている。支持板３６には、たとえばフロントケース８の内部側の一部に板金部品２２が一体化して設置されている。側壁部３２は、たとえば板金部品２２や支持板３６の厚さよりも長大に形成されており、リアケース１６と接合することで、板金部品２２の背面側に対して基板１４やその他の電子部品を収納させる収納部３４が形成される。
【００３５】
支持板３６は、たとえば板金部品２２の少なくとも左右方向または上下方向のいずれかの端辺に対して幅広に形成されており、その幅広に形成された両端部分に基板１４を支持させるための支持孔３８が形成される。支持板３６は、板金部品２２の端辺よりも幅広に形成することで、基板１４を変位させるための空間を確保している。支持孔３８は、基板１４の変位位置に合わせて形成される。
【００３６】
＜基板１４のスライドによる端子同士の接触について＞
【００３７】
基板１４は、たとえば図６のＡに示すように、スライド前の状態として、フロントケース８の収納部３４に対し、接地端子２６と端子２４とが離間する位置を設置位置として設定している。フロントケース８は、たとえば収納部３４内に、基板１４の設置位置を限定させるための図示しない位置決め手段が備えられてもよい。
【００３８】
基板１４は、たとえば図７に示すように、収納部３４内で変位可能にするために、２辺以上が支持板３６上に載置され、または側壁部３２に係合して設置されている。この支持板３６や側壁部３２は、基板１４を摺動可能に形成しており、基板１４の変位動作をガイドするガイド機構として機能させてもよい。そのほか側壁部３２は、たとえば変位方向側において、変位した基板１４の端部側に接触させて変位を停止させるストッパとして機能する。
【００３９】
基板１４には、たとえば両端側に複数の貫通孔４０が形成されており、図６のＢに示すように収納部３４内でスライド後の位置において支持板３６の支持孔３８に挿通状態となる。そして基板１４は、スライドにより所定の位置に変位されると、たとえば貫通孔４０側から支持孔３８に向けて固定手段４２が挿入され、固定される。この固定手段４２は、たとえばネジ部品やラッチ部品などが含まれる。すなわち、支持板３６の支持孔３８は、基板１４の貫通孔４０と組み合わせて、基板１４を変位位置で保持させる本開示の保持構造の一例である。そして、基板１４の接地端子２６は、変位により板金部品２２の端子２４に接触し導通状態となる。
【００４０】
基板１４の接地端子２６は、たとえば図８のＡに示すように、板金部品２２の端子２４の切り起こし方向の前面側に配置され、基板１４の変位前は離間している。接地端子２６の実装長さや設置高さは、たとえば板金部品２２に対する配置間隔や端子２４の切り起こし高さに基づいて設定されればよい。変位前の基板１４は、たとえば側壁部３２の一部に接触させてもよい。この側壁部３２は、一端側が基板１４の設置位置の位置決め手段の一例として機能する。
【００４１】
端子２４は、たとえば図９のＡに示すように板金部品２２の載置面２８に対して鋭角方向の所定角度θ１で切り起こされている。これに対し接地端子２６は、たとえば基板１４の実装面に対して鋭角方向にθ２で形成されている。
【００４２】
端子２４と接地端子２６は、たとえば基板１４と板金部品２２との配置間隔や端子長さを含め、変位により傾斜面の一部が接触可能な角度が設定される。また、端子２４と接地端子２６の長さにより、切り起こし角度θ１とθ２は、たとえば同等に設定することで、端子２４と接地端子２６とを平行に接触させてもよい。
【００４３】
そして基板１４を変位方向にスライドさせると、図８のＢに示すように接地端子２６の先端側が端子２４の先端側に接近し、傾斜面の一部同士が接触して導通する。基板１４の変位距離Ｌ１は、たとえば端子２４と接地端子２４との接触位置に合わせて設定される。また変位距離Ｌ１は、たとえば基板１４の変位方向の長さに応じて設定される。そして、基板１４には、端子同士の接触位置に配置される位置において支持孔３８と重なる位置に貫通孔４０が形成される。
【００４４】
端子２４は、たとえば図９のＢに示すように、先端側に変位方向の対向側から被さるように接地端子２６が接触することで、載置面２８に対する角度が拡大し、角度θ３となる。このとき端子２４は、変位による力Ｆで基板１４側に向けて加圧され、接地端子２６と接触圧力が得られる。また端子２４には、基板１４側に向けて力Ｆが作用するので、載置面２８側に圧力が作用せず、表示ユニット１２を加圧させることはない。
【００４５】
＜表示装置２の他の構成について＞
【００４６】
表示装置２は、たとえば板金部品２２と基板１４との接地手段を複数設けてもよい。図１０に示す表示支持装置３０は、たとえば載置面２８に対して所定の間隔で複数の端子２４を切り起こして形成されている。また基板１４は、この端子２４の形成位置に応じて接地端子２６が形成されている。端子２４および接地端子２６は、全て同方向に形成されており、図１０のＢに示すように基板１４を一定方向に変位させることで接触され、導通状態にすることができる。
【００４７】
斯かる構成によれば、基板１４と板金部品２２との配置間隔の誤差を吸収するために、接地端子２６が端子２４を板金部品２２側に向けて加圧させないので、載置面２８に載置される表示ユニット１２の滲みや歪みの発生を阻止することができる。変位により端子同士を所定の力で接触させることで、端子間の接触抵抗を低減でき、導通性を高めることができる。
【００４８】
〔第３の実施の形態〕
【００４９】
図１１は、第３の実施の形態に係る端子の接触状態の一例示している。図１１に示す構成は一例である。
【００５０】
図１１に示す表示支持装置６０は、本開示の表示支持装置の一例であり、表示ユニット１２を支持する板金部品２２の一部に端子６２が形成され、この端子６２を基板１４の接地端子６４と接触させて接地させる。この表示支持装置６０では、たとえば基板１４と板金部品２２とを離間させ、配置間隔Ｈ１から配置間隔Ｈ２に変位させることで、端子６２と接地端子６４とを接触させ、導通状態にする。
【００５１】
端子６２は、板金部品２２の一部が切り起こされ、先端側の一部に板金部品２２の載置面２８に対して平行部分が形成されている。また接地端子６４は、たとえば先端部分の一部が基板１４の実装面に対して平行であって、端子６２の平行部分に対して対向方向に向けて形成されている。そして、基板１４は、たとえば板金部品２２から離間する方向に距離Ｌ２で変位させると、接地端子６４も距離Ｌ２分変位し、対向した端子６２の一部に接触して導通する。このとき端子６２は、たとえば接地端子６４との接触部分において基板１４の実装面側に力Ｆで加圧状態となる。すなわち、基板１４の変位距離Ｌ２は、変位前における接地端子６４と端子６２との間の間隔よりも大きい値に設定される。
【００５２】
なお、表示支持装置６０は、たとえば板金部品２２を基板１４から離間させることで、配置間隔Ｈ２に変位させてもよい。
【００５３】
＜フロントケース６６および基板１４の構成例について＞
【００５４】
フロントケース６６は、たとえば図１２のＡに示すように、収納部３４の開口部分に対して平行に、板金部品２２が設置されている。収納部３４には、板金部品２２の周縁側と側壁部３２との間に支持板３６が備えられている。また、フロントケース６６の開口側には、支持板３６に対向して支持片６８および収納支持片６９が形成されている。
【００５５】
支持片６８および収納支持片６９は、収納部３４内に配置した基板１４の一部を載置させて支持し、所定位置に保持させる本開示の保持構造の一例であり、基板１４を設定された載置位置で固定させるための支持孔３８が形成されている。支持片６８は、たとえば収納部３４の端部側に形成される。収納支持片６９は、収納部３４の端部から一定の距離だけ離間させた位置に形成されている。
【００５６】
基板１４は、たとえば図１２のＢに示すように、各角部側に支持片６８や収納支持片６９の支持孔３８の開口位置に合わせて開口された貫通孔４０が形成されている。また基板１４は、たとえば収納支持片６９に対する配置位置に切欠部７０が形成される。この切欠部７０は、基板１４を収納部３４の内部側に配置させるために収納支持片６９を通過させる手段の一例である。また収納支持片６９は、基板１４の切欠部７０のみを通過させることで、フロントケース６６に対する基板１４の設置位置を制限しており、たとえば基板１４の設置時に端子６２と接地端子６４とが意図しない接触状態で固定されることを阻止し、または端子同士の接触による損傷の阻止を図っている。
【００５７】
フロントケース６６は、たとえば図１３に示すように側壁部３２が一定の高さで形成されるとともに支持板３６上面の一部を覆うように形成されている。そして側壁部３２は、フロントケース６６の一端側において支持片６８と連結されている。また支持板３６は、たとえばフロントケース６６の一端側に向けて盛上げられた段差部７２が形成されている。この段差部７２は、たとえば収納部３４の中央側において支持板３６から変位させた基板１４の設置高さを変える手段であり、基板１４の変位をガイドするガイド機構の一例である。支持板３６と側壁部３２との間の収納部３４の厚さは、基板１４の厚さよりも大きく形成されている。また段差部７２によって盛上げられた支持板３６と支持片６８との間の厚さは、基板１４の厚さと同等または基板１４よりも厚く形成されている。
【００５８】
＜基板１４の設置状態について＞
【００５９】
フロントケース６６に対する基板１４の設置処理では、たとえば図１４のＡに示すように、切欠部７０を収納支持片６９に合わせて配置させ、収納部３４内に基板１４を収納させる。基板１４は、たとえば収納部３４内に対し、短辺の一端側がフロントケース６６の一端側に接触状態となるほか、短辺の他端側が段差部７２に載置されない長さで形成されている。
【００６０】
この表示支持装置６０は、図１４のＢに示すように基板１４を板金部品２２の長手方向に沿ってスライドさせる。基板１４をスライドさせることで、接地端子６４が板金部品２２の端子６２方向に変位し、接触する。基板１４は、たとえば所定の位置として、先端部分が側壁部３２に接触させる位置までスライドさせると、貫通孔４０と支持孔３８とが挿通状態となり、固定手段４２によってフロントケース６６に固定される。
【００６１】
基板１４は、たとえば図１５のＡに示すように、支持板３６上に接地された状態では、接地端子６４が板金部品２２の端子６２から離間した状態となっている。そして基板１４は、板金部品２２に沿ってスライドさせると、図１５のＢに示すように、フロントケース６６の長手方向に変位するとともに、段差部７２に沿うことで板金部品２２から離間する方向に変位する。すなわち接地端子６４の平行部分は、たとえばフロントケース６６の長手方向に向けた基板１４の変位により、対向方向に向けて切り起こされた端子６２の先端部分に重なる位置に変位する。そして接地端子６４は、基板１４が段差部７２を通過することで、板金部品２２から離間する方向に変位し、端子６２と接触するとともに基板１４の実装面側に向けて加圧させる。
【００６２】
斯かる構成によれば、基板１４の接地端子６４を板金部品２２から離間させる方向に変位させ、板金部品２２の端子６２を基板１４の実装面側に向けて加圧状態にさせることで、端子同士に接触圧が得られるとともに、表示ユニット１２側を押圧するのを阻止することができる。また接地端子６４と端子６２とを面で接触させることで、導通面積を大きくとれるので導通性がよく、板金部品２２のシールド機能を高めることができる。
【００６３】
〔第４の実施の形態〕
【００６４】
図１６は、第４の実施の形態に係る表示装置の構成例を示している。図１６に示す構成は一例である。
【００６５】
図１６に示す表示支持装置３０は、たとえば表示ユニット１２を支持する板金部品２２に対して基板１４を近接方向に変位させ、この変位によって端子２４と接地端子２６と接触させる。この表示支持装置３０は、たとえば表示装置２のフロントケース８０内に収納される。フロントケース８０には、たとえば図１６のＡに示すように、接地端子２６の配置位置に合わせて設置され、基板１４の変位により接地端子２６の背面側に接触させる接触軸８２が形成されている。この接触軸８２は、本開示の当接部品の一例であり、たとえば図１６のＢに示すように、基板１４の変位方向に対して接地端子２６の変位方向を変更させ、接地端子２６を端子２４に接触させる。
【００６６】
フロントケース８０には、たとえば図１７に示すように収納部３４内に板金部品２２が収納されており、板金部品２２の端子２４の近傍に接触軸８２が形成されている。具体的には、接触軸８２は、接地端子２６が配置される位置として、たとえば板金部品２２から切り起こされた端子２４の先端の前面側に形成される。接触軸８２は、たとえば側壁部３２と一体に形成され、フロントケース８０の短辺方向に軸支されている。接触軸８２は、板金部品２２の端子２４の形成位置および形成数に応じて形成位置や数が設定されればよい。
【００６７】
そして、接触軸８２は、図１８に示すように、接地端子２６と交差するように配置されることで、基板１４の変位に応じて接地端子２６の背面側に当接する。
【００６８】
なお接触軸８２は、フロントケース８０の短辺方向を横断させて形成されるものに限られず、たとえば接地端子２６の配置位置に対して、近接した側壁部３２から軸部品を延伸させてもよい。
【００６９】
＜接触軸８２を利用した端子の接触状態について＞
【００７０】
表示装置２の組立てでは、たとえば図１９のＡに示すように、板金部品２２が収納されたフロントケース８０の収納部３４に対して基板１４を近接させる。基板１４は、たとえば接地端子２６を接触軸８２に当接させる位置に合わせて配置させればよい。表示装置２は、図１９のＢに示すように、基板１４をフロントケース８０に対して一定の距離まで近接させると、接地端子２６の背面部分が接触軸８２に当接され、近接させる力に応じた力Ｆ２で基板１４の実装面側に押圧される。接地端子２６は、たとえば基板１４側に押圧されて変位して、板金部品２２の端子２４の一部に接触状態となる。そして端子２４は、図１９のＣに示すように、変位した接地端子２６によって板金部品２２の載置面２８から離間する方向として、たとえば基板１４の実装面側に向けて力Ｆ３で加圧（押圧）される。
【００７１】
斯かる構成によれば、基板１４を板金部品２２に対して近接させる方向に変位させる構成であっても、端子２４を板金部品２２の載置面２８側に押圧させず、表示ユニット１２の表示機能の低下を防止することができる。また、基板１４の変位状態に応じて接地端子２６を変位させて端子２４と接触させることで、一定の接触圧を持たせて端子同士を接触させることができ、導通状態が確保される。さらに端子２４と接地端子２６との接触圧を高めることで、板金部品２２の接地を確実に行え、導通性が高められるので、板金部品２２のシールド機能を高めることができる。
【００７２】
以上説明した実施の形態について、変形例を以下に列挙する。
【００７３】
(1)  上記実施の形態では、表示装置２の構成例として携帯電話機や携帯情報処理装置の構成例を示したがこれに限られない。表示装置は、たとえば表示手段を備えた表示装置として、図２０に示すようにＰＣ（Personal Computer）などの情報処理装置１００が含まれる。この情報処理装置１００は、たとえば表示側ケース１０２と操作側ケース１０４がヒンジ部１０６によって開閉可能に連結されている。表示側ケース１０２には、たとえば内部に表示部１０８として、ＬＣＤユニットや有機ＥＬディスプレイユニットなどの表示ユニットが収納されている。そして表示側ケース１０２には、たとえば図示しない表示ユニットを支持する板金部品や表示機能を制御する基板を備えている。そしてこの板金部品に形成された端子と基板に形成された接地端子とを接触させて、板金部品を接地させている。
【００７４】
そのほか、情報処理装置１００の操作側筐体１０４には、キーボードやマウスパッド、タッチパネルなどの操作キーなどを備えてもよい。
【００７５】
また、情報処理装置１００には、ＰＣのほか、たとえば表示モニタ装置やゲーム機、そのほか表示ユニットを内蔵する機器が含まれる。
【００７６】
(2)  上記実施の形態では、端子２４と接地端子２６とを変位させる構成として、フロントケース８に板金部品２２が収納され、フロントケース８に対して基板１４をスライドさせて設置する場合を示したがこれに限られない。
【００７７】
図２１に示す表示支持装置１２０は、たとえばフロントケース１２２に基板１４が設置され、収納部１２４側に向けて接地端子２６が形成されている。そして収納部１２４には、たとえば板金部品２２を載置させる載置部１２６が板金部品２２よりも長大に形成されている。
【００７８】
そして表示支持装置１２０の組立てでは、たとえば表示ユニット１２の設置前にフロントケース１２２の開口部分から収納部１２４に対して板金部品２２を収納させる。このとき図２１のＡに示すように板金部品２２は、たとえば一端側を収納部１２４の一端側に配置されており、端子２４が接地端子２６から離間している。そして図２１のＢに示すように、板金部品２２の端子２４の先端部分を基板１４の接地端子２６の先端側に向けてスライドさせることで、端子同士を接触させることができる。板金部品２２は、たとえばスライドによりケース１２２の一部に嵌合されることで、固定される。
【００７９】
また、板金部品２２は、基板１４に対して平行にスライドさせる場合に限られず、基板１４から離間させる場合や近接させる場合も含まれる。この場合、板金部品２２の変位方向に応じて、上記実施の形態に示すように、端子２４を載置面２８側に加圧させない構造を採用すればよい。
【００８０】
斯かる構成によれば、一定の接触圧を持たせて端子２４と接地端子２６とを接触させて接地機能が確保されるとともに、端子同士の接触により生じる応力を板金部品２２側に作用させず、表示機能の劣化を防止できる。端子２４と接地端子２６を、基板１４または板金部品２２の変位によって接触させることで、基板１４および板金部品２２の設置誤差に応じた端子同士の形成間隔の調整が不要となる。
【００８１】
次に、以上述べた実施の形態に関し、更に以下の付記を開示する。以下の付記に本発明が限定されるものではない。
【００８２】
（付記１）表示手段と、
前記表示手段を載置させて支持する載置面と、該載置面の背面側に突出して形成され、前記載置面を通じて前記表示手段に導通させる端子とを含む支持手段と、
前記支持手段の背面側に配置され、前記端子に導通させて前記支持手段を接地させる接地端子を備える基板と、
を備え、
前記端子は、前記支持手段と前記基板とが対向状態で変位することで、前記接地端子と接触するとともに、前記基板側に向けて加圧されることを特徴とする表示装置。
【００８３】
（付記２）さらに前記支持手段および前記基板を支持するとともに、前記支持手段または前記基板を所定の方向に変位させるガイド機構が形成された筐体を備え、
前記支持手段または前記基板は、前記ガイド機構に沿って変位することで、前記接地端子と前記端子とを接触させることを特徴とする、付記１に記載の表示装置。
【００８４】
（付記３）前記端子は、前記支持手段の一部を前記載置面の背面側に所定の角度で切り起こして形成され、
前記基板は、切り起こされた前記端子の先端側に前記接地端子が配置され、前記接地端子または前記端子の変位によって、前記基板側に被さる方向に前記端子を加圧させることを特徴とする、付記１または付記２に記載の表示装置。
【００８５】
（付記４）前記接地端子は、前記支持手段または前記基板の変位により前記端子と係合することを特徴とする、付記１ないし付記３のいずれか１つに記載の表示装置。
【００８６】
（付記５）前記端子および前記接地端子は、バネ端子で形成されていることを特徴とする、付記１ないし付記４のいずれか１つに記載の表示装置。
【００８７】
（付記６）前記筐体は、前記支持手段または前記基板を変位位置で保持させる保持構造を備えることを特徴とする、付記２ないし付記５のいずれか１つに記載の表示装置。
【００８８】
（付記７）前記端子は、前記載置面に対して鋭角方向に切り起こして形成され、
前記接地端子は、前記端子の切り起こし方向の前面側に配置され、
前記支持手段または前記基板は、前記端子または前記接地端子に向けて平行に変位させることで、接地端子と前記端子の傾斜面の一部とを当接させることを特徴とする、付記１ないし付記６のいずれか１つに記載の表示装置。
【００８９】
（付記８）前記端子は、一部に前記載置面と平行部分が形成され、
前記基板は、前記支持手段から離間する方向に変位され、前記端子の平行部分に前記接地端子を接触させて加圧することを特徴とする、付記１ないし付記６のいずれか１つに記載の表示装置。
【００９０】
（付記９）さらに、前記支持手段と前記基板との間に配置され、前記接地端子の背面側に当接させる当接部品を備え、
前記基板は、前記支持手段に対して近接方向に変位させ、
前記端子は、前記当接部品との当接によって前記基板方向に変位する前記接地端子と接触し、前記基板方向に加圧されることを特徴とする、付記１ないし付記６のいずれか１つに記載の表示装置。
【００９１】
（付記１０）表示手段を載置させる載置面と、該載置面の背面側に突出して形成され、前記載置面を通じて前記表示手段と導通する端子とを含む支持手段と、
前記支持手段の背面側に配置され、前記端子に導通させて前記支持手段を接地させる接地端子を含む基板と、
を備え、
前記端子は、前記支持手段と前記基板とが対向状態で変位することで、前記接地端子と接触するとともに、前記基板側に向けて加圧されることを特徴とする表示支持装置。
【００９２】
（付記１１）表示手段を載置させる載置面と、
該載置面の背面側から突出して形成され、前記載置面を通じて前記表示手段と導通する端子と、
を備え、前記端子は、背面側に配置された基板が対向状態で変位することで、前記接地端子と接触するとともに、前記基板側に向けて加圧されることを特徴とする、支持部品。
【００９３】
以上説明したように、本発明の最も好ましい実施形態等について説明したが、本発明は、上記記載に限定されるものではなく、特許請求の範囲に記載され、または明細書に開示された発明の要旨に基づき、当業者において様々な変形や変更が可能であることは勿論であり、斯かる変形や変更が、本発明の範囲に含まれることは言うまでもない。
【符号の説明】
【００９４】
２  表示装置
４  フロントパネル
６  表示窓部
８、６６、８０、１２２  フロントケース
１０  キー操作部
１２  表示ユニット
１４  基板
１６  リアケース
１８  リアパネル
２０  電池
２２  板金部品
２４、６２  端子
２６、６４  接地端子
２８  載置面
３０、６０、１２０  表示支持装置
３２  側壁部
３４、１２４  収納部
３６  支持板
３８  支持孔
４０  貫通孔
４２  固定手段
６８  支持片
６９  収納支持片
７０  切欠部
７２  段差部
８２  接触軸
１００  情報処理装置
１０２  表示側ケース
１０４  操作側ケース
１０６  ヒンジ部
１０８  表示部
１１０  操作キー
１２６  載置部
【図１】
2015011251.tif 000003
【図２】
2015011251.tif 000004
【図３】
2015011251.tif 000005
【図４】
2015011251.tif 000006
【図５】
2015011251.tif 000007
【図６】
2015011251.tif 000008
【図７】
2015011251.tif 000009
【図８】
2015011251.tif 000010
【図９】
2015011251.tif 000011
【図１０】
2015011251.tif 000012
【図１１】
2015011251.tif 000013
【図１２】
2015011251.tif 000014
【図１３】
2015011251.tif 000015
【図１４】
2015011251.tif 000016
【図１５】
2015011251.tif 000017
【図１６】
2015011251.tif 000018
【図１７】
2015011251.tif 000019
【図１８】
2015011251.tif 000020
【図１９】
2015011251.tif 000021
【図２０】
2015011251.tif 000022
【図２１】
2015011251.tif 000023